【手続補正書】
【提出日】平成21年11月18日(2009.11.18)
【手続補正１】
【補正対象書類名】特許請求の範囲
【補正対象項目名】全文
【補正方法】変更
【補正の内容】
【特許請求の範囲】
【請求項１】
符号化画像データを復号化する復号化手段と、
前記復号化手段によって復号化された画像データをフィルタ処理するフィルタ処理手段と、
画像データをアナログ信号に変換し、アナログ方式で出力するアナログ画像出力手段と、
画像データをデジタル方式で出力するデジタル画像出力手段と、
前記フィルタ処理手段によってフィルタ処理された画像データの出力方式として、前記アナログ画像出力手段によるアナログ方式、または前記デジタル画像出力手段によるデジタル方式を選択する出力方式決定手段と、
前記出力決定手段による出力方式の切り替えに連動して、前記フィルタ処理手段において使用されるフィルタの特性を切り替えるフィルタ特性制御手段
とを具備することを特徴とする画像処理装置。
【請求項２】
前記フィルタは、符号化ノイズ除去のためのフィルタであることを特徴とする請求項１に記載の画像処理装置。
【請求項３】
前記フィルタ特性制御手段は、前記出力決定手段による出力方式の切り替えに連動して、前記符号化ノイズ除去に対する強度を切り替えることを特徴とする請求項２に記載の画像処理装置。
【請求項４】
前記フィルタ特性制御手段は、前記出力決定手段により前記デジタル方式が選択された場合、前記フィルタの通過帯域を、前記アナログ方式が選択されたときよりも狭くすることを特徴とする請求項１乃至３の何れか１項に記載の画像処理装置。
【請求項５】
前記アナログ画像出力手段は、画像データをアナログ画像信号に変換するＤ／Ａ変換器と、当該Ｄ／Ａ変換器の出力画像信号をローパスフィルタ処理するローパスフィルタとを具備することを特徴とする請求項１乃至４の何れか１項に記載の画像処理装置。
【請求項６】
前記ローパスフィルタは、アンチエリアジング処理のためのフィルタであることを特徴とする請求項５に記載の画像処理装置。
【請求項７】
前記フィルタ特性制御手段は、前記ローパスフィルタの特性に基づいて、前記出力決定手段により前記デジタル方式が選択された場合の前記フィルタの周波数特性と、前記アナログ方式が選択された場合の前記フィルタの周波数特性とをそれぞれ設定することを特徴とする請求項５又は６に記載の画像処理装置。
【請求項８】
前記フィルタ特性制御手段は、前記ローパスフィルタの特性と、前記出力決定手段により前記アナログ方式が選択された場合の前記フィルタの周波数特性とを乗算して得られる特性が、前記出力決定手段により前記デジタル方式が選択された場合の前記フィルタの周波数特性と等しくなるように設定することを特徴とする請求項７に記載の画像処理装置。
【請求項９】
符号化画像データを復号化する復号化ステップと、
前記復号化ステップで復号化された画像データをデジタル画像データとして出力するか、アナログ画像信号として出力するかを選択する選択ステップと、
前記デジタル画像データの出力が選択された場合、デジタル出力用のフィルタ特性によって前記復号化された画像データをフィルタ処理し、前記アナログ画像信号の出力が選択された場合、アナログ出力用のフィルタ特性によって前記復号化された画像データをフィルタ処理するフィルタ処理ステップと、
前記アナログ画像信号の出力が選択された場合に、前記フィルタ処理ステップで処理された画像データをアナログ信号に変換し、アナログ方式で出力するアナログ画像出力ステップと、
前記デジタル画像データの出力が選択された場合に、前記フィルタ処理ステップで処理された画像データをデジタル方式で出力するデジタル画像出力ステップと、
とを具備することを特徴とする画像処理方法。
【手続補正２】
【補正対象書類名】明細書
【補正対象項目名】０００１
【補正方法】変更
【補正の内容】
【０００１】
本発明は、符号化された映像情報を復号化し、アナログベースバンド信号又はデジタルベースバンド信号として出力する画像処理装置及び方法に関する。
【手続補正３】
【補正対象書類名】明細書
【補正対象項目名】０００６
【補正方法】変更
【補正の内容】
【０００６】
図６は、符号化された映像情報を復号化し、アナログベースバンド信号又はデジタルベースバンド信号を出力する従来の画像処理装置の概略構成ブロック図を示す。図６を参照して、従来の画像処理装置の構成と動作を説明する。
【手続補正４】
【補正対象書類名】明細書
【補正対象項目名】０００８
【補正方法】変更
【補正の内容】
【０００８】
ノイズ除去装置１１６のフィルタ強度決定装置１１８は、ノイズフィルタ１２０のフィルタ強度を決定する。フィルタ強度は、例えば、ノイズフィルタ１２０の遮断周波数を示す。ノイズフィルタ１２０はデジタル処理の空間ローパスフィルタ（ＬＰＦ）等であり、フィルタ強度決定装置１１８により指定されたフィルタ強度で、ＭＰＥＧデコーダ１１４の出力画像信号の符号化ノイズを除去又は低減する。
【手続補正５】
【補正対象書類名】明細書
【補正対象項目名】００１３
【補正方法】変更
【補正の内容】
【００１３】
アナログベースバンド信号では、エリアジングを阻止するために高周波成分を除去する必要があり、このためのアンチエリアジングフィルタ処理が、デジタルベースバンド信号とアナログベースバンド信号とで、符号化ノイズの見え方が異ならせるものにする。アンチエリアジングフィルタ１３６が、サンプリング周波数ｆｓに対して遮断周波数以下で利得が１で、遮断周波数より上で利得がゼロの理想的な周波数特性を具備する場合、出力デジタルベースバンド信号の通過帯域は、出力アナログベースバンド信号の通過帯域と一致する。しかし、そのような理想的な周波数特性のアンチエリアジングフィルタを得ることは実際上不可能である。
【手続補正６】
【補正対象書類名】明細書
【補正対象項目名】００１５
【補正方法】変更
【補正の内容】
【００１５】
しかし、このような理想的な遮断特性を得るには無限のタップ数が必要であり、現実的には不可能である。有限タップ数のアンチエリアジングフィルタの場合、図９に示すように、遮断周波数ｆｓ／２の直前部分でなだらかに利得が低下する周波数特性になる。アンチエリアジングフィルタ１３４が図９に示す周波数特性を具備する場合、アンチエリアジングフィルタ１３４から出力されるアナログベースバンド信号の通過帯域は、図１０に斜線領域で示す部分に相当する。即ち、遮断周波数ｆｓ／２の直前部分の利得が、本来の値よりも減少し、しかも、遮断周波数ｆｓ／２に近づく程に小さくなる。
【手続補正７】
【補正対象書類名】明細書
【補正対象項目名】００１７
【補正方法】変更
【補正の内容】
【００１７】
アナログベースバンド信号には、ノイズフィルタ１２０とアンチエリアジングフィルタ１３４が適用される。従って、アナログベースバンド信号には、ノイズフィルタ１２０の周波数特性１５０とアンチエリアジングフィルタ１３４の周波数特性１５２を合成した周波数特性１５４が適用される。図１２の斜線部分（特性１５４の通過部分）が、出力アナログベースバンド信号の通過帯域となる。
【手続補正８】
【補正対象書類名】明細書
【補正対象項目名】００１９
【補正方法】変更
【補正の内容】
【００１９】
上述したように、従来のノイズ除去方法では、アナログ画像出力とデジタル画像出力で、符号化ノイズを除去するノイズフィルタのフィルタ強度が同一になっていた。そのため、アナログベースバンド信号とデジタルベースバンド信号の通過帯域が異なることとなり、再生画像上でノイズの見え方が異なるという問題が発生していた。
【手続補正９】
【補正対象書類名】明細書
【補正対象項目名】００２０
【補正方法】変更
【補正の内容】
【００２０】
本発明は、上記の問題点を鑑みてなされたものであり、デジタル出力とアナログ出力で通過帯域を同程度に制御する画像処理装置及び方法を提示することを目的とする。
【手続補正１０】
【補正対象書類名】明細書
【補正対象項目名】００２１
【補正方法】変更
【補正の内容】
【００２１】
このような課題を解決するために、本発明に係る画像処理装置は、符号化画像データを復号化する復号化手段と、前記復号化手段によって復号化された画像データをフィルタ処理するフィルタ処理手段と、画像データをアナログ信号に変換し、アナログ方式で出力するアナログ画像出力手段と、画像データをデジタル方式で出力するデジタル画像出力手段と、前記フィルタ処理手段によってフィルタ処理された画像データの出力方式として、前記アナログ画像出力手段によるアナログ方式、または前記デジタル画像出力手段によるデジタル方式を選択する出力方式決定手段と、前記出力決定手段による出力方式の切り替えに連動して、前記フィルタ処理手段において使用されるフィルタの特性を切り替えるフィルタ特性制御手段とを具備することを特徴とする。
【手続補正１１】
【補正対象書類名】明細書
【補正対象項目名】００２２
【補正方法】変更
【補正の内容】
【００２２】
本発明に係る画像処理方法は、符号化画像データを復号化する復号化ステップと、前記復号化ステップで復号化された画像データをデジタル画像データとして出力するか、アナログ画像信号として出力するかを選択する選択ステップと、前記デジタル画像データの出力が選択された場合、デジタル出力用のフィルタ特性によって前記復号化された画像データをフィルタ処理し、前記アナログ画像信号の出力が選択された場合、アナログ出力用のフィルタ特性によって前記復号化された画像データをフィルタ処理するフィルタ処理ステップと、前記アナログ画像信号の出力が選択された場合に、前記フィルタ処理ステップで処理された画像データをアナログ信号に変換し、アナログ方式で出力するアナログ画像出力ステップと、前記デジタル画像データの出力が選択された場合に、前記フィルタ処理ステップで処理された画像データをデジタル方式で出力するデジタル画像出力ステップと、とを具備することを特徴とする。